【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録装置であって、
複数の前記濃度情報値の夫々について前記複数の画素の位置を表す番地情報の各々に対し前記記録剤の組合せを表す組合せ情報を対応させたデータを格納したデータ格納部と、
対象画素の濃度情報値および番地情報に基づき、前記データ格納部に格納されたデータを参照し、前記対象画素の記録に用いる記録剤の組合せ情報を取得する取得手段と、
前記取得手段により取得された組合せ情報に基づいて前記記録ヘッドから前記対象画素に対して記録剤を付与させ、前記対象画素の記録を行う記録制御手段とを具備し、
前記複数の濃度情報値の内、所定の同じ濃度情報値に対応したデータは、前記記録剤の組合せが異なることを表す複数種類の組合せ情報を含むことを特徴とする記録装置。
【請求項２】
前記濃度情報値は、前記画像データを階調データに変換することで得られる階調値であることを特徴とする請求項１に記載の記録装置。
【請求項３】
前記濃度情報値は、前記記録媒体上に記録される記録剤の記録濃度値であり、
前記記録濃度値は、前記画像データを階調データに変換することで得られる階調値に対応するものであることを特徴とする請求項１に記載の記録装置。
【請求項４】
前記データ格納部に格納されるデータ中の各番地情報は、前記画素データを所定数の画素からなる複数のブロックに分割した場合の各ブロック内における各画素の番地情報に対応するものであり、
前記取得手段では、対象画素の濃度情報値および前記対象画素が属するブロック内における当該対象画素の番地情報に基づき、前記データ格納部に格納されたデータを参照し、前記対象画素の記録に用いる記録剤の組合せ情報を取得することを特徴とする請求項１に記載の記録装置。
【請求項５】
前記データ格納部に格納されるデータでは、同一の濃度情報値を有する複数の画素のみで構成される１つのブロックの記録濃度値が当該ブロック内における各画素の記録濃度の平均値となるように前記ブロック内の各番地に対応する前記記録剤の組合せが定められていることを特徴とする請求項４に記載の記録装置。
【請求項６】
前記データ格納部に格納されるデータでは、前記ブロック内における番地の値が大となるに従って当該番地に対応する画素の記録濃度値が順次小さくあるいは同じとなるように前記ブロック内の各番地に対応する前記記録剤の組合せが定められていることを特徴とする請求項４に記載の記録装置。
【請求項７】
前記画像データは、外部機器から前記記録装置に入力される入力画像データであり、
前記外部機器は、Ｘ線撮影装置、Ｘ線ＣＴスキャナ装置およびＭＲＩ装置のうちの少なくとも１つであることを特徴とする請求項１に記載の記録装置。
【請求項８】
前記画像データは、外部機器である医用画像入力装置から前記記録装置に入力される医用画像データであることを特徴とする請求項１に記載の記録装置。
【請求項９】
前記記録剤は、黒色系のインクであることを特徴とする請求項１に記載の記録装置。
【請求項１０】
前記記録剤により記録される色は、無彩色であることを特徴とする請求項１に記載の記録装置。
【請求項１１】
画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録方法であって、
複数の前記濃度情報値の夫々について前記複数の画素の位置を表す番地情報の各々に対し前記記録剤の組合せを表す組合せ情報を対応させたデータを格納したデータ格納部を参照し、対象画素の濃度情報値および番地情報に基づき前記対象画素の記録に用いる記録剤の組合せ情報を取得する取得工程と、
前記取得工程において取得された組合せ情報に基づいて前記記録ヘッドから前記対象画素に対して記録剤を付与させ、前記対象画素の記録を行う記録制御工程と、
を具備することを特徴とする記録方法。
【請求項１２】
前記濃度情報値は、前記画像データを階調データに変換することで得られる階調値であることを特徴とする請求項１１に記載の記録方法。
【請求項１３】
前記濃度情報値は、前記記録媒体上に記録される記録剤の記録濃度値であり、
前記記録濃度値は、前記画像データを階調データに変換することで得られる階調値に対応するものであることを特徴とする請求項１１に記載の記録方法。
【請求項１４】
前記データ格納部に格納されるデータ中の各番地情報は、前記画素データを所定数の画素からなる複数のブロックに分割した場合の各ブロック内における各画素の番地情報に対応するものであり、
前記取得手段では、対象画素の濃度情報値および前記対象画素が属するブロック内における当該対象画素の番地情報に基づき、前記データ格納部に格納されたデータを参照し、前記対象画素の記録に用いる記録剤の組合せ情報を取得することを特徴とする請求項１１に記載の記録方法。
【請求項１５】
前記データ格納部に格納されるデータでは、同一の濃度情報値を有する複数の画素のみで構成される１つのブロックの記録濃度値が当該ブロック内における各画素の記録濃度の平均値となるように前記ブロック内の各番地に対応する前記記録剤の組合せが定められていることを特徴とする請求項１４に記載の記録方法。
【請求項１６】
前記データ格納部に格納されるデータでは、前記ブロック内における番地の値が大となるに従って当該番地に対応する画素の記録濃度値が順次小さくあるいは同じとなるように前記ブロック内の各番地に対応する前記記録剤の組合せが定められていることを特徴とする請求項１４に記載の記録方法。
【請求項１７】
前記番地の値が互いに連続する２つの画素は、前記ブロック内において互いに隣り合わないように配列されていることを特徴とする請求項１４に記載の記録方法。
【請求項１８】
前記記録媒体は、加成性が成り立つ透明媒体であることを特徴とする請求項１１に記載の記録方法。
【請求項１９】
前記記録剤は、黒色系のインクであることを特徴とする請求項１１に記載の記録方法。
【請求項２０】
前記記録剤により記録される色は、無彩色であることを特徴とする請求項１１に記載の記録方法。
【請求項２１】
前記複数の濃度情報値の内、所定の同じ濃度情報値に対応したデータは、前記記録剤の組合せが異なることを表す異なる組合せ情報を含むことを特徴とする請求項１１乃至２０のいずれか１項に記載の記録方法。
【請求項２２】
画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録装置を制御するプログラムが格納されたコンピュータ可読記憶媒体であって、
前記プログラムが、
複数の前記濃度情報値の夫々について前記複数の画素の位置を表す番地情報の各々に対し前記記録剤の組合せを表す組合せ情報を対応させたデータを格納したデータ格納部を参照し、対象画素の濃度情報値および番地情報に基づき前記対象画素の記録に用いる記録剤の組合せ情報を取得する取得工程のコードと、
前記取得工程において取得された組合せ情報に基づいて、前記対象画素に付与すべき記録剤に対応した２値データを生成する生成工程のコードとを有し、
前記データ格納部に格納される前記複数の濃度情報値の内、所定の同じ濃度情報値に対応したデータは、前記記録剤の組合せが異なることを表す複数種類の組合せ情報を含むことを特徴とするコンピュータ可読記憶媒体。
【請求項２３】
画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録装置を制御するプログラムであって、
複数の前記濃度情報値の夫々について前記複数の画素の位置を表す番地情報の各々に対し前記記録剤の組合せを表す組合せ情報を対応させたデータを格納したデータ格納部を参照し、対象画素の濃度情報値および番地情報に基づき前記対象画素の記録に用いる記録剤の組合せ情報を取得する取得工程のコードと、
前記取得工程において取得された組合せ情報に基づいて、前記対象画像に付与すべき記録剤に対応した２値データを生成する生成工程のコードとを有し、
前記複数の濃度情報値の内、所定の同じ濃度情報値に対応したデータは、前記記録剤の組合せが異なる複数種類の組合せ情報を含むことを特徴とするプログラム。
【手続補正２】
【補正対象書類名】明細書
【補正対象項目名】００４９
【補正方法】変更
【補正の内容】
【００４９】
【課題を解決するための手段】
上述の課題を解決し、目的を達成するために、本発明の記録装置は、画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録装置であって、複数の前記濃度情報値の夫々について前記複数の画素の位置を表す番地情報の各々に対し前記記録剤の組合せを表す組合せ情報を対応させたデータを格納したデータ格納部と、対象画素の濃度情報値および番地情報に基づき、前記データ格納部に格納されたデータを参照し、前記対象画素の記録に用いる記録剤の組合せ情報を取得する取得手段と、前記取得手段により取得された組合せ情報に基づいて前記記録ヘッドから前記対象画素に対して記録剤を付与させ、前記対象画素の記録を行う記録制御手段とを具備し、前記複数の濃度情報値の内、所定の同じ濃度情報値に対応したデータは、前記記録剤の組合せが異なることを表す複数種類の組合せ情報を含む。


【手続補正３】
【補正対象書類名】明細書
【補正対象項目名】００５０
【補正方法】変更
【補正の内容】
【００５０】
また、本発明の記録方法は、画像データから得られる濃度情報値に基づいて同色系で濃度の異なる複数種の記録剤を付与するための記録ヘッドから各画素に対して記録剤を付与し、前記複数種の記録剤の組合せにより表現される画素を複数含む画像を記録媒体に記録する記録方法であって、複数の前記濃度情報値の夫々について前記複数の画素の位置を表す番地情報の各々に対し前記記録剤の組合せを表す組合せ情報を対応させたデータを格納したデータ格納部を参照し、対象画素の濃度情報値および番地情報に基づき前記対象画素の記録に用いる記録剤の組合せ情報を取得する取得工程と、前記取得工程において取得された組合せ情報に基づいて前記記録ヘッドから前記対象画素に対して記録剤を付与させ、前記対象画素の記録を行う記録制御工程と、を具備する。